(57)【要約】【課題】電柱のアース線を容易に取付けられるようにする。【解決手段】電柱等の柱状物の立設される地面に設けられた穴の底部にアンカを埋設し、そのアンカの上端部に柱状物を立設するとともに、そのアンカにアース線を接続する。【選択図】      図１
2004159469.tif 000002
【特許請求の範囲】
【請求項１】
電柱等の柱状物の立設される地面に設けられた穴の底部にアンカを埋設し、そのアンカの上端部に柱状物を立設するとともに、そのアンカにアース線を接続したことを特徴とする柱状物構造。
【請求項２】
請求項１に記載の柱状物構造において、アンカの上部に柱状物の底部を挿入する筒状体を設け、その筒状体の中に柱状物を立設することを特徴とする柱状物構造。
【請求項３】
請求項１又は２に記載の柱状物構造において、アース線の取付けは、アルミニウム製の端子を介して行うことを特徴とする柱状物構造。
【発明の詳細な説明】
【０００１】
【発明の属する技術分野】
本発明は、地中に立設される電柱等の柱状物構造に係り、特に、アース装置を容易に施工することができるようにしたものに関する。
【０００２】
【従来の技術】
従来、配電線や電話線の電柱等の柱状物（以下、電柱で説明する。）を地面に立設するには、穴堀建柱車により電柱の立設箇所の地面に所定深さの穴を掘り、その掘られた穴の中に電柱の下端部（基部）を挿入して行われている。
【０００３】
上述のように、上記従来の柱状物構造は、電柱の立設箇所の地面に所定深さの穴を掘り、その掘られた穴に電柱の下端部を挿入して立設するため、地質の性質によっては、立設された電柱が不安定になることがあった。また、電柱の取替えの必要が生じたときは、その都度、所定深さの穴を掘らなければならないという面倒があった。
【０００４】
そこで、本出願人は、このような欠点を解決するために、特願２００２−１４６０３４号等において電柱等の柱状物の安定性を高めることができるとともに、その柱状物の交換を容易にすることのできる柱状物構造を提案している。この提案に係る柱状物構造は、電柱等の柱状物の立設される地面に設けられた穴の底部にアンカを埋設し、そのアンカの上端部にその柱状物の底部を挿入する筒状体を設け、その筒状体の中にその柱状物を立設するようにしたものである。
【０００５】
【発明が解決しようとする課題】
ところで、電柱のうち、アース装置を必要とするものがあり、この場合は、電柱の周囲に電極棒を埋設し、その電極棒にアース線を接続するようにしている。このため、電柱の立設作業の他にアース線の設置作業を必要とする欠点があった。
【０００６】
そこで、本発明は、このような欠点を解決したもので、その目的は、アース装置の工事を容易に行えるようにした柱状物構造を提供することにある。
【０００７】
【課題を解決するための手段】
本発明に係る柱状物構造は、上記目的を達成するために、請求項１に記載の発明は、電柱等の柱状物の立設される地面に設けられた穴の底部にアンカを埋設し、そのアンカの上端部に柱状物を立設するとともに、そのアンカにアース線を接続したことを特徴としている。
本発明の請求項２に記載の柱状物構造は、アンカの上部に柱状物の底部を挿入する筒状体を設け、その筒状体の中に柱状物を立設することを特徴としている。
本発明の請求項３に記載の柱状物構造は、アース線の取付けは、アルミニウム製の端子を介して行うことを特徴としている。
【０００８】
【発明の実施の形態】
以下、本発明の実施の形態を図面に基づいて説明する。図１は、一実施の形態に係る柱状物構造の一部を断面で示した正面図である。図１中、１は、本発明の柱状物に当る配電線や電話線を張設するためのコンクリート製の電柱であって、所定の長さ（高さ）を有し、後述するアンカ及び筒状体を介して地面Ｇに立設されている。
【０００９】
図中、１０はアンカであって、本出願人が、先に、特開２０００−１８５０号、同２００１−５９２２１号、同２００１−１８２０５８号等で提案している地中アンカと同様のものである。このアンカ１０は、鋳鉄製からなり、先細りの軸部１１の周囲に螺旋状の掘削刃１２が所定の間隔を保って複数個（図示の例では３個）設けられている。これら掘削刃１２，１２…のうち、最も大きな掘削刃１２の直径は、電柱１の直径よりも少し大きく決められている。そして、その軸部１１の上端側（先細りと反対側）には、電柱１の太さよりも少し大きいフランジ１３が設けられているとともに、そのフランジ１３の上側中央部には、アンカ１０を地面Ｇに埋設するときの工具（穴堀建柱車の回転部）に接続するための角柱部１４が設けられている。なお、このフランジ１３は、最上部の掘削刃１２と兼ねることもでき、この場合は、後述する筒状体の下部形状が掘削刃の螺旋に合わされたものとなる。
【００１０】
上記アンカ１０の先細りの先端部には、硬質の地面Ｇにも対処できるように、超硬金属からなるドリル部を設けることもでき、また、掘削刃１２の外周を尖鋭に形成するようにしてもよい。また、軸部１１の長さ及び掘削刃１２の個数は、地面Ｇの性状によって適宜決めることができる。
【００１１】
図中、２０は、鋼製の上部開口，下部有底の筒状体であって、その筒状体２０の内部の空間形状は、電柱１の下部が挿入できる大きさに形成されている。そして、この筒状体２０の長さ（長手方向の長さ）は、電柱１を地面Ｇに埋設する深さに相当するように構成されていて、通常、２ｍの長さに形成されている。この筒状体２０の底には、アンカ１０の角柱部１４が貫通する孔２１が設けられている。なお、アンカ１０のフランジ１３が省略されるときは、筒状体２０の下端部が最上部の掘削刃１２に載置されるので、筒状体２０の底は省略される。
【００１２】
図１中、Ｌは、電柱１に設けられるアース装置のアース線であり、その一端側は、後述する図２に詳しく示されているように、アンカ１０の上端部に接続され、その他端側は、電柱１の上端部の図示しない所定の部材、例えば、変圧器の架台等に取付けられている。
【００１３】
アース線Ｌは、地面Ｇから所定高さまでは、電柱１の軸心に設けられている空間１′内に設けられる。なお、アース線Ｌは、電柱１側において電柱１の軸心に設けられた空間１′内に配設されないとき、そのアース線Ｌは、電柱１の側面にバンド部材を介して設けられる。
【００１４】
図２を用いてアース線Ｌのアンカ１０への取付けについて説明する。このアース線Ｌのアンカ１０への取付けは、アンカ１０の上端部に設けられている角柱部１４に設けられている貫通孔１４ａを中間にして一対のアルミニウム（アルミニウム合金を含む。）製の端子３０ａ，３０ｂを用いて行われる。これら端子３０ａ，３０ｂのうちの一方の端子３０ａには、ビス３１の螺合されるねじ孔３０ａ′を有し、他方の端子３０ｂには、ビス３１の軸部（ねじ部）が貫通することのできる孔３０ｂ′を有している。そして、これら端子３０ａ，３０ｂをビス３１で固定する際に、アース線Ｌの端部に設けられているリング部Ｌ′をビス３１に挿入して行われる。これにより、アース線Ｌがアンカ１０に取付けられる。
【００１５】
上述のように、アース線Ｌがアルミニウム製の端子３０ａ，３０ｂを介してアンカ１０に取付けられると、これら端子３０ａ，３０ｂは、鋳鉄製のアンカ１０及び鋼製の筒状体２０よりも卑な金属であるので、アンカ１０及び筒状体２０の腐食を効果的に防止できる特長がある。
【００１６】
以下、上記構成からなる柱状物構造の施工手順について説明する。先ず、図示しない穴掘建柱車の回転部の先端には、図３に示される棒状の工具（嵌入パイプ）ａが装着される。この工具ａは、本出願人が特開２００１−２７１３４５号等で示したもので、棒状の先端部（図３において省略されている上端部）は、穴掘建柱車の回転部に装着されている。そして、工具ａの下部下端には、アンカ１０の角柱部１４が挿入される角穴ａ′が設けられている。したがって、この角穴ａ′にアンカ１０の角柱部１４を挿入し、図示しないピンを工具ａ及び角柱部１４に設けられている貫通穴１４ａに貫通させると、工具ａとアンカ１０とが連結される。
【００１７】
次いで、アンカ１０の先端が電柱１を立設する地面Ｇの所定の位置に合わせられる。そして、そのアンカ１０を押圧しながら穴掘建柱車の回転部を回転させると、アンカ１０は地面Ｇに埋設される。アンカ１０のフランジ１３の位置がほぼ地面Ｇの位置になったところで、一旦、アンカ１０の埋設が中止され、ピンが抜かれてアンカ１０から工具ａが外される。この状態において、アンカ１０は、フランジ１３よりも下側の部分が地中にあるので、地面Ｇに対して十分に安定した状態で埋設されている。
【００１８】
アンカ１０がフランジ１３の位置まで地面Ｇに埋設され、工具ａが外された後、アンカ１０のフランジ１３上には、筒状体２０が載置される。この筒状体２０のフランジ１３への載置は、有底部を下にしてその底部に設けられている孔２１に角柱部１４を貫通させて行われる。フランジ１３上に筒状体２０が載置された後、筒状体２０内に位置している角柱部１４には、工具ａの下部下端に設けられている角穴ａ′が挿入される。なお、必要に応じてフランジ１３（フランジ１３が省略されているときは最上部の掘削刃１２）と筒状体２０の下端とが図示しない連結具を介して接続される。そして、アンカ１０を押圧しながら穴掘建柱車の回転部を回転させると、アンカ１０及び筒状体２０は、地面Ｇの中へ嵌入される。この穴掘建柱車の回転部の押圧回転により、筒状体２０の上端位置が地面Ｇの位置まで嵌入されると、穴掘建柱車の回転部の回転は停止されるとともに、工具ａが筒状体２０の内部（角柱部１４）から抜き取られる。筒状体２０から工具ａが抜き取られた後、アンカ１０の角柱部１４の貫通穴１４ａには、上記図２に示された方法でアース線Ｌが接続され、次いで、その筒状体２０には、電柱１の下端部が挿入されて電柱１の立設が終了となる。なお、電柱１の下端部を筒状体２０に挿入するに当っては、必要に応じてその下端部が電気絶縁テープ等の絶縁材で覆われる。
【００１９】
上述のように、筒状体２０の下部には、アンカ１０が埋設されているので、電柱１の下部を強固に支持することができる。また、電柱１の挿入される穴の内壁は、筒状体２０で保護されているので、電柱１の立設される土質に影響を受けずに電柱１を容易に立設することができるとともに、電柱１の交換も容易に行うことができる特長がある。しかも、アンカ１０をアース部材とすることができるので、アース工事を容易に行うことができる。
【００２０】
なお、上述の例では、電柱１は、配電線や電話線用としたが、信号機用の電柱等であってもよい。
【００２１】
【発明の効果】
本発明の請求項１に記載の柱状物構造は、電柱等の柱状物の立設される地面に設けられた穴の底部にアンカを埋設し、そのアンカの上端部に柱状物を立設するとともに、そのアンカにアース線を接続したので、アース装置の工事を容易になうことができる。
本発明の請求項２に記載の柱状物構造は、アンカの上部に柱状物の底部を挿入する筒状体を設け、その筒状体の中に柱状物を立設するので、土質に影響を受けずに柱状物を立設することができ、また、その柱状物の交換を行うことができる。
本発明の請求項３に記載の柱状物構造は、アース線の取付けは、アルミニウム製の端子を介して行うので、アンカ及び筒状体の腐食を効果的に防止することができる。
【図面の簡単な説明】
【図１】本発明の一実施の形態に係る柱状物構造の一部を断面で示した正面図である。
【図２】アース線の取付部の詳細図である。
【図３】アンカ及び筒状体の斜視図である。
【符号の説明】
１  電柱（柱状物）
１０  アンカ
２０  筒状体
Ｌ  アース線
Ｇ  地面
【図１】
2004159469.tif 000003
【図２】
2004159469.tif 000004
【図３】
2004159469.tif 000005
【手続補正書】
【提出日】平成14年11月12日(2002.11.12)
【手続補正１】
【補正対象書類名】図面
【補正対象項目名】全図
【補正方法】変更
【補正の内容】
【図１】
2004159469.tif 000006
【図２】
2004159469.tif 000007
【図３】
2004159469.tif 000008